(57)【要約】【課題】音声信号の音量レベルをモニタし、過大音量と判定すれば、ミュート、音量レベルダウン、装置本体の電源オフ、チャンネル切替などの過大音量出力防止処理を瞬時に実行するテレビ受像機を提供する。【解決手段】ＴＶ１は、TV１全体の制御を行う制御部１３と、テレビ放送信号を処理するチューナ２と、テレビ放送信号から映像信号と音声信号とを分離抽出する映像／音声切換部３と、所望のＯＳＤを映像信号に重畳するＯＳＤ処理部４と、映像信号を表示部６に出力する映像信号出力部５と、映像を表示するＣＲＴ等の表示部６と、音声信号を増幅しスピーカ８に出力する音声信号出力部７と、音声を外部に発生するスピーカ８と、ユーザが音量の調整等を行う操作部９と、設定音量レベルを記憶する記憶部１４と、を備えている。【選択図】  図１
2006303825.tif 000002
【特許請求の範囲】
【請求項１】
複数の入力ソースの中から選択された入力ソースの音声信号を増幅して出力する音声信号出力手段と、
前記音声信号出力手段から出力される音声信号を出力するスピーカと、
音量の調整を行う操作手段と、を備えたテレビ受像機において、
前記スピーカに入力される前記音声信号の音量レベルを検出する音量レベル検出手段と、
前記音量レベル検出手段によって検出される前記音声信号の音量レベルが所定値以上であるか否か判定し、該音声信号の音量レベルが所定値以上であると判定すると、過大な音量レベルの音声信号が出力されることを防止する過大音量出力防止処理を実行する防止処理実行手段と、を備え、
前記操作手段の音量の調整によって設定される音量レベルとして設定音量レベルを記憶する記憶手段と、
前記音量レベル検出手段によって検出される前記音声信号の音量レベルと前記設定音量レベルとの差が許容範囲内にあるか否かを判定する判定手段と、を備え、
前記防止処理実行手段は、前記音量レベルと前記設定音量レベルとの差が許容範囲内にないと前記判定手段が判定すると、ミュートを実行し、
所望のＯＳＤを表示するＯＳＤ表示手段を備え、
前記ＯＳＤ表示手段は、前記音量レベルと前記設定音量レベルとの差が許容範囲内にないと前記判定手段が判定すると、故障を表す画像として故障画像を一定時間ＯＳＤ表示し、
前記防止処理実行手段は、前記一定時間経過の後、装置本体の電源をオフするテレビ受像機。
【請求項２】
複数の入力ソースの中から選択された入力ソースの音声信号を増幅して出力する音声信号出力手段と、
前記音声信号出力手段から出力される音声信号を出力するスピーカと、
音量の調整を行う操作手段と、を備えたテレビ受像機において、
前記スピーカに入力される前記音声信号の音量レベルを検出する音量レベル検出手段と、
前記音量レベル検出手段によって検出される前記音声信号の音量レベルが所定値以上であるか否か判定し、該音声信号の音量レベルが所定値以上であると判定すると、過大な音量レベルの音声信号が出力されることを防止する過大音量出力防止処理を実行する防止処理実行手段と、を備えたテレビ受像機。
【請求項３】
前記過大音量出力防止処理は、ミュート、音量レベルダウン、装置本体の電源オフ又はチャンネル切替である請求項２記載のテレビ受像機。
【請求項４】
前記操作手段の音量の調整によって設定される音量レベルとして設定音量レベルを記憶する記憶手段と、
前記音量レベル検出手段によって検出される前記音声信号の音量レベルと前記設定音量レベルとの差が許容範囲内にあるか否かを判定する判定手段と、を備え、
前記防止処理実行手段は、前記音量レベルと前記設定音量レベルとの差が許容範囲内にないと前記判定手段が判定すると、ミュートを実行する請求項２に記載のテレビ受像機。
【請求項５】
所望のＯＳＤを表示するＯＳＤ表示手段を備え、
前記ＯＳＤ表示手段は、前記音量レベルと前記設定音量レベルとの差が許容範囲内にないと前記判定手段が判定すると、故障を表す画像として故障画像を一定時間ＯＳＤ表示する請求項４に記載のテレビ受像機。
【請求項６】
前記防止処理実行手段は、前記一定時間経過の後、装置本体の電源をオフする請求項５に記載のテレビ受像機。
【発明の詳細な説明】
【技術分野】
【０００１】
本発明は、映像や音声を出力するテレビ受像機に関し、特に過大音量をモニタするテレビ受像機に関するものである。
【背景技術】
【０００２】
従来、テレビ受像機は複数の入力ソースを備えており、例えばＢＳ放送の受信回路、接続されたビデオプレイヤ、ＤＶＤプレイヤがある。これらの入力ソースから送出された音声信号は、オーディオアンプにおいてユーザが設定した設定音量レベルに応じた増幅がなされた後、音声としてスピーカから出力される。
【０００３】
ユーザがテレビ受像機の電源をオンした際、上記設定音量レベルが誤って最大に設定されていたり、上記オーディオアンプが故障していたりした場合には、過大音量が突発的に発生することがある。この過大音量は耳障りであり、ユーザに不快感を与えてしまう。
【０００４】
そこで、特許文献１に記載されたようなテレビ受像機が提案されている。
【０００５】
このテレビ受像機は、音声信号の振幅を制御する音量コントロール回路と、音声信号の過大を検出する過大入力検出回路と、この過大入力検出回路で検出された検出信号を一定時間サンプリングし、該検出信号が持続性の場合には前記音量コントロール回路に対して音声信号の振幅を抑制するように制御するマイクロコンピュータと、を備える。検出信号が持続性の場合に音量コントロール回路が音声信号の振幅を抑制するため、音量レベルはダウンする。
【特許文献１】特開平５−２５２４６９号公報
【発明の開示】
【発明が解決しようとする課題】
【０００６】
しかしながら、特許文献１では、検出信号を一定時間サンプリングしてから音声信号の振幅を抑制するため、過大音量が突発的に発生しても瞬時に音量レベルをダウンすることができない。従って、上記一定時間の間は、ユーザに過大音量を聞かせてしまう点問題である。
【０００７】
本発明はこのような従来の課題を解決しようとするものであり、音声信号の音量レベルをモニタし、過大音量と判定すれば、ミュート、音量レベルダウン、装置本体の電源オフ、チャンネル切替などの過大音量出力防止処理を瞬時に実行するテレビ受像機を提供することを目的とする。
【課題を解決するための手段】
【０００８】
本発明のテレビ受像機は、前記課題を解決するために以下の構成を備えている。
（１）複数の入力ソースの中から選択された入力ソースの音声信号を増幅して出力する音声信号出力手段と、
前記音声信号出力手段から出力される音声信号を出力するスピーカと、
音量の調整を行う操作手段と、を備えたテレビ受像機において、
前記スピーカに入力される前記音声信号の音量レベルを検出する音量レベル検出手段と、
前記音量レベル検出手段によって検出される前記音声信号の音量レベルが所定値以上であるか否か判定し、該音声信号の音量レベルが所定値以上であると判定すると、過大な音量レベルの音声信号が出力されることを防止する過大音量出力防止処理を実行する防止処理実行手段と、を備える。
【０００９】
この構成において、入力ソースは、ＢＳ放送の受信回路、接続されたビデオプレイヤ、ＤＶＤプレイヤである。
【００１０】
これらの入力ソースから送出された音声信号は、音声信号出力手段において設定音量レベルに応じた増幅がなされた後、音声としてスピーカから出力される。この設定音量レベルは、音量レベル検出手段が検出する音量レベルと異なるものであり、ユーザが操作手段によって設定（調整）する音量のレベルである。
【００１１】
ユーザがテレビ受像機の電源をオンした際、上記設定音量レベルが誤って最大に設定されていたり、上記音声信号出力手段が故障していたりした場合には、過大音量が突発的に発生することがある。
【００１２】
そのため、音量レベル検出手段は、スピーカに入力される音声信号の音量レベルを検出している。そして、防止処理実行手段は、検出された音声信号の音量レベルが所定値以上であると判定すると、つまり、過大音量であると判定すると、過大音量出力防止処理を実行する。音量レベルは、例えば所定の音量に対する減衰（増幅）量（デシベル量）で定義される。所定値は、ユーザが騒音として感じる値に予め設定すればよく、例えば70dBである。
【００１３】
以上により、音声信号の音量レベルをモニタし、過大音量と判定すれば、ミュート、音量レベルダウン、装置本体の電源オフ、チャンネル切替などの過大音量出力防止処理を瞬時に実行する。従って、ユーザに過大音量による不快感を与えない。
（２）前記過大音量出力防止処理は、ミュート、音量レベルダウン、装置本体の電源オフ又はチャンネル切替である。
【００１４】
上記過大音量出力防止処理は、音量レベルダウンが最も好ましい。また、上記過大音量出力防止処理は、外部音声入力（ＡＵＸ）切替であってもよい。
（３）前記操作手段の音量の調整によって設定される音量レベルとして設定音量レベルを記憶する記憶手段と、
前記音量レベル検出手段によって検出される前記音声信号の音量レベルと前記設定音量レベルとの差が許容範囲内にあるか否かを判定する判定手段と、を備え、
前記防止処理実行手段は、前記音量レベルと前記設定音量レベルとの差が許容範囲内にないと前記判定手段が判定すると、ミュートを実行する。
【００１５】
この構成において、音量レベルと設定音量レベルとの差が許容範囲内にない場合とは、音声信号出力手段が設定音量レベルに応じた増幅をすることができない場合、つまり音声信号出力手段が故障している場合を想定している。
【００１６】
この場合、音量レベルダウンを行っても意味がないため、防止処理実行手段は、ミュートを実行する。
（４）上記（３）において、所望のＯＳＤを表示するＯＳＤ表示手段を備え、
前記ＯＳＤ表示手段は、前記音量レベルと前記設定音量レベルとの差が許容範囲内にないと前記判定手段が判定すると、故障を表す画像として故障画像を一定時間ＯＳＤ表示する。
【００１７】
この構成において、一定時間は、例えば３秒、５秒である。
【００１８】
上記（３）においてミュートが実行されることにより、スピーカから急に音が発っせられなくなるため、故障画像を一定時間ＯＳＤ表示することにより、ユーザに故障していることを報知する。
（５）上記（４）において、前記防止処理実行手段は、前記一定時間経過の後、装置本体の電源をオフする。
【００１９】
この構成では、音声信号出力手段の故障により、ミュート回路等に過大な電流が流れ続けるおそれもあるため、電源をオフする。
【発明の効果】
【００２０】
この発明によれば、ミュート、音量レベルダウン、装置本体の電源オフ、チャンネル切替などの過大音量出力防止処理を瞬時に実行することができる。
【発明を実施するための最良の形態】
【００２１】
以下、本発明の実施形態であるテレビジョンについて説明する。
【００２２】
図１は、本発明の実施形態であるテレビジョンの主要な構成を示すブロック図である。
【００２３】
ＴＶ（テレビジョン）１は、TV１全体の制御を行う制御部１３と、テレビ放送信号を処理するチューナ２と、テレビ放送信号から映像信号と音声信号とを分離抽出する映像／音声切換部３と、所望のＯＳＤを映像信号に重畳するＯＳＤ処理部４と、映像信号を表示部６に出力する映像信号出力部５と、映像を表示するＣＲＴ等の表示部６と、音声信号を増幅しスピーカ８に出力する音声信号出力部７と、音声を外部に発生するスピーカ８と、ユーザが音量の調整等を行う操作部９と、設定音量レベルを記憶する記憶部１４と、を備えている。
【００２４】
操作部９にはリモコン信号検出部（不図示）が備えられている。リモコン信号検出部に対し、外部からリモコン１１を用いて、電源のON／OFF、チャンネルの切り替え、音量の調整等の命令が入力されると、リモコン信号検出部は、リモコン１１からの命令信号を受信して制御部１３に伝送する。
【００２５】
記憶部１４は、不揮発性のメモリからなり、記憶内容を更新可能である。記憶部１４は、例えばＥＥＰＲＯＭから構成される。記憶部１４は、ユーザが操作部９又はリモコン１１によって調整（設定）する音量のレベルである設定音量レベルを記憶する。
【００２６】
また、TV１は、入力ソースであるＤＶＤプレイヤやビデオプレイヤ等の映像／音声再生ソースが入力端子１０Ａ、１０Ｂを介して接続されている。
【００２７】
映像／音声切換部３は、ＤＶＤプレイヤやビデオプレイヤ等から出力されてくる映像信号および音声信号を、入力端子１０Ａおよび入力端子１０Ｂを介して受信する。
【００２８】
一方、チューナ２は、入力ソースであるアンテナ１２で受信しているテレビ放送信号から選択されているチャンネルのテレビ放送信号を抽出し、出力する。そして、映像／音声切換部３は、チューナ２から出力されたテレビ放送信号を、映像信号と音声信号とに分離抽出する。
【００２９】
映像／音声切換部３は、上記複数の入力ソースの中から選択された入力ソースの映像信号および音声信号を復調し、出力する。
【００３０】
映像／音声切換部３から出力された映像信号は、ＯＳＤ処理部４を介して、映像信号出力部５に入力される。
【００３１】
ＯＳＤ処理部４は、制御部１３から与えられる制御信号に基づいて、映像信号に文字または図形を重畳する。
【００３２】
映像信号出力部５は、映像／音声切換部３が出力した映像信号を出力し、表示部６は映像を表示する。
【００３３】
音声信号出力部７は、オーディオアンプ２３を内蔵しており（後述の図２参照）、映像／音声切換部３が出力した音声信号の増幅を行ってスピーカ８に出力する。この増幅量は、記憶部１４が記憶する設定音量レベルに応じたものである。そして、スピーカ８は音声を外部に発生する（音声信号を出力する）。
【００３４】
制御部１３は、例えばマイクロコンピュータである。
【００３５】
TV１の各部には、図示していない電源回路から動作電源が供給されている。この電源回路の入力は、商用電源（例えばAC１００V）である。
【００３６】
図２は、本発明の実施形態であるテレビジョンにおいて音声信号の音量レベルを検出するための回路図である。
【００３７】
スピーカ８に入力される音声信号の音量レベルは、例えば図２に示すような回路で、以下のように検出される。
【００３８】
なお、この回路図はあくまで一例であり、本発明を限定するものではない。
【００３９】
制御部１３は、音声信号の電圧値を示すアナログ波形に対しＡ／Ｄ変換を行うＡ／Ｄポート１３Ａを備えている。オーディオアンプ２３は、ユーザの設定音量レベルに応じて音声信号の増幅を行う音量調整回路２３Ａと、ミュートを実行するミュート回路２３Ｂと、を備えている。
【００４０】
音声信号は、図２に示すように、音声信号出力部７に内蔵されているオーディオアンプ２３で増幅されて出力されてくる。電解コンデンサ８Ａは、スピーカ８に含まれており、直流成分をカットしている。
【００４１】
該音声信号は、調整抵抗２２を通り倍電圧整流回路２０に取り込まれ、２つのダイオード２０Ａ及び２０Ｂによって整流され、コンデンサ２０Ｃによって平滑される。その後、該音声信号は、調整抵抗２１を通りＡ／Ｄポート１３Ａに入力される。
【００４２】
なお、調整抵抗２１及び２２は、整流回路２０への流入電流や印加電圧を適当な大きさにしたり、ツェナーダイオード２４に流れる電流を適当な大きさにする抵抗である。ツェナーダイオード２４は、制御部１３のＡ／Ｄポート１３Ａに５Ｖ（ツェナー電圧）以上の電圧が入力されないように、制御部１３を保護している。
【００４３】
制御部１３は、Ａ／Ｄポート１３Ａに入力された音声信号をＡ／Ｄ変換し、音声信号の電圧値そのものの値を検出する。この音声信号の電圧値は、音声信号の音量レベルに対応する値である。この対応関係は、検出された音声信号の電圧値が、Ｘ（Ｖ）のときの、スピーカから発生される音声信号の音量レベルＹ（ｄＢ）を予め測定し、Ｘ（Ｖ）とＹ（ｄＢ）とを対応づけておくことにより得られる。
【００４４】
なお、上記音量レベルは、所定の音量に対する減衰（増幅）量（デシベル量）で定義している。
【００４５】
そして、制御部１３は、検出した音声信号の電圧値から、上記のように、対応する音声信号の音量レベルを算出する。
【００４６】
以上のようにして、スピーカ８に入力される音声信号の音量レベルは、検出される。
【００４７】
ここで、制御部１３が、本発明の「判定手段」に相当する。制御部１３、倍電圧整流回路２０、調整抵抗２１、２２及びツェナーダイオード２４が、本発明の「音量レベル検出手段」に相当する。制御部１３及び音声信号出力部７が、本発明の「防止処理実行手段」に相当する。ＯＳＤ処理部４、映像信号出力部５および表示部６が、本発明の「ＯＳＤ表示手段」に相当する。
【００４８】
図３は、本発明の実施形態であるテレビジョンにおいて制御部が行う動作を示すフローチャートである。この動作は、音声信号の音量レベルが図２の回路において検出された時の動作である。
【００４９】
制御部１３は、検出された音声信号の音量レベルが所定値以上であるか否か判定する（ｓ１）。所定値は、ユーザが騒音として感じる値に予め設定すればよく、例えば70dBである。該音声信号の音量レベルが所定値未満であると判定すると、ｓ１に戻り処理を継続する。
【００５０】
該音声信号の音量レベルが所定値以上であると判定すると、つまり、過大音量であると判定すると、音量レベルダウンを実行する（ｓ２）。
【００５１】
なお、本発明の実施形態では、過大音量であると判定すると、音量レベルダウンを実行しているが、ミュート、音量レベルダウン、装置本体の電源オフ又はチャンネル切替を実行してもよく、ＡＵＸ切替でもよい。そして、これらの処理の内いずれを実行するかを、ユーザに選択させてもよい。
【００５２】
以上により、音声信号の音量レベルをモニタし、過大音量と判定すれば、音量レベルダウンを瞬時に実行できる。従って、ユーザに過大音量による不快感を与えない。
【００５３】
制御部１３は、記憶部１４が記憶している設定音量レベルと、検出された音声信号の音量レベルとの差が許容範囲内にあるか否かを判定する（ｓ３）。音量レベルと設定音量レベルとの差が許容範囲内にない場合とは、音声信号出力部７が設定音量レベルに応じた増幅をすることができない場合、つまり音声信号出力部７が故障している場合を想定している。該許容範囲は、予め設定しておく範囲であり、音声信号出力部７が故障していないと判断できる適当な範囲にすればよい。
【００５４】
音量レベルと設定音量レベルとの差が許容範囲内にあると判定すると、制御部１３は、本処理を終了する。
【００５５】
一方、音量レベルと設定音量レベルとの差が許容範囲内にないと判定すると、制御部１３はミュートの実行を音声信号出力部７に指示する（図２参照）（ｓ４）。音声信号出力部７が設定音量レベルに応じた増幅をすることができないので、ｓ２において音量レベルダウンを行ってもあまり効果が得られないためである。
【００５６】
次に、制御部１３は、故障を表す画像として故障画像をＯＳＤ表示する旨の制御信号をＯＳＤ処理部４に送信する（図１参照）（ｓ５）。ＯＳＤ処理部４は、映像信号に故障画像を重畳し、表示部６は故障画像をＯＳＤ表示する。ｓ４においてミュートが実行されることにより、スピーカ８から急に音が発っせられなくなるため、故障画像をＯＳＤ表示することにより、ユーザに故障していることを報知する。
【００５７】
そして、制御部１３は一定時間待って（ｓ６）、ＴＶ１の電源をオフし（ｓ７）、本処理を終了する。一定時間は、例えば３秒、５秒である。電源をオフしているのは、音声信号出力部７の故障により、オーディオアンプ２３の音量調整回路２３Ａ以後の回路、例えばミュート回路２３Ｂに過大な電流が流れ続けるおそれがあるためである。
【図面の簡単な説明】
【００５８】
【図１】本発明の実施形態であるテレビジョンの主要な構成を示すブロック図
【図２】本発明の実施形態であるテレビジョンにおいて音声信号の音量レベルを検出するための回路図
【図３】本発明の実施形態であるテレビジョンにおいて制御部が行う動作を示すフローチャート
【符号の説明】
【００５９】
１−ＴＶ
２−チューナ
３−映像／音声切換部
４−ＯＳＤ処理部４
５−映像信号出力部
６−表示部
７−音声信号出力部
８−スピーカ
９−操作部
１０−入力端子
１１−リモコン
１２−アンテナ
１３−制御部
１４−記憶部
２０−倍電圧整流回路
２１−調整抵抗
２２−調整抵抗
２３−オーディオアンプ
２４−ツェナーダイオード
【図１】
2006303825.tif 000003
【図２】
2006303825.tif 000004
【図３】
2006303825.tif 000005